(57)【要約】      （修正有）【課題】ナースコールの呼出を表示灯で視認させるにあたり、呼び出しが重複しても認識可能に表示させることで円滑な看護業務をおこなうことができるナースコールシステムを提供する。【解決手段】ナースコール親機１ａと、ナースコール子機と、廊下灯と、制御機から構成されるナースコールシステムにおいて、ナースコール親機及び廊下灯の少なくとも一つには、ナースコール子機からの呼出種別に応じて色と点滅パターンによって報知するための表示部を備え、呼出種別の点滅パターンの周期を同一とし、ナースコール子機からの呼出が単独呼出の場合と、重複呼出の場合で点滅の周期のタイミングをずらすためのタイミング変更制御部を有し、当該タイミング変更制御部は、重複呼出時に点灯が重複しないタイミングにずらす制御をおこなうことを特徴とする。【選択図】図２
2014097109.tif 000002
【特許請求の範囲】
【請求項１】
ナースステーションに設置され患者からの呼出に応答するためのナースコール親機と、患者が看護師を呼び出すためのナースコール子機と、病室近傍に設置され、前記ナースコール子機からの呼出を報知するための廊下灯と、前記ナースコール親機、前記廊下灯を制御するための制御機から構成されるナースコールシステムにおいて、
前記ナースコール親機及び前記廊下灯の少なくとも一つには、ナースコール子機からの呼出種別に応じて色と点滅パターンによって報知するための報知部を備え、
前記呼出種別の点滅パターンの周期を同一とし、
前記ナースコール子機からの呼出が単独呼出の場合と、重複呼出の場合で点滅の周期のタイミングをずらすためのタイミング変更制御部を有し、
当該タイミング変更制御部は、重複呼出時に点灯が重複しないタイミングにずらす制御をおこなうことを特徴とするナースコールシステム。
【請求項２】
前記呼出種別は、予め優先度が定められており、当該呼出種別に応じて点滅する色ごとにグループ分けがなされて記憶され、
同色であって点滅パターンの異なる呼出が重複した場合、前記優先度の最も高いパターンを表示することを特徴とする請求項１記載のナースコールシステム。
【請求項３】
重複呼出時における各呼出の１周期内の点灯時間を合計した合計点灯時間は、前記同一とした１周期よりも短いことを特徴とする請求項１又は２記載のナースコールシステム。  
【請求項４】
前記制御機は、複数の報知部の点滅のタイミングを同期させるための同期制御部を備えたことを特徴とする請求項１乃至請求項３何れか１項記載のナースコールシステム。
【発明の詳細な説明】
【技術分野】
【０００１】
本発明はナースコールシステムに係り、呼出種別に応じてナースコール親機や廊下灯の表示パターンを変更するナースコールシステムに関する。
【背景技術】
【０００２】
従来のナースコールシステムは、患者や看護師がナースコール子機、トイレ子機、その他の呼出操作をおこなうと、それを検出した廊下灯及びナースコール親機の表示灯を点灯・点滅させて、周辺に居る看護師にどのような呼出か（呼出種別）を判別することができるものがあった。
これにより、周囲にいても看護師は呼出に気づくことができるし、色や点滅パターンによって、どのような呼出がなされたのかを把握することができるので、看護業務を円滑におこなうことができるものであった。
【特許文献１】特開２００１−６８５００号公報
【発明の開示】
【発明が解決しようとする課題】
【０００３】
しかし、従来のナースコールシステムでは、違う種別の呼び出しが重複した場合に廊下灯及びナースコール親機の表示灯での点滅パターンは１種類しか表示されないため、他の呼出があっても把握することができず、呼び出しの優先度も把握することができないものであった。
【０００４】
本発明では、上記難点を解決するため、呼出種別の点滅パターンの周期を同一とし、更に重複呼出を検出した場合には上記点滅パターンの周期のタイミングをずらすことで重複呼出を表示可能とし、円滑な看護業務をおこなうことができるナースコールシステムを提供することを目的とする。
【課題を解決するための手段】
【０００５】
本発明は、上記難点を解決するため、ナースステーションに設置され患者からの呼出に応答するためのナースコール親機と、患者が看護師を呼び出すためのナースコール子機と、病室近傍に設置され、ナースコール子機からの呼出を報知するための廊下灯と、ナースコール親機、廊下灯を制御するための制御機から構成されるナースコールシステムにおいて、ナースコール親機及び廊下灯の少なくとも一つには、ナースコール子機からの呼出種別に応じて色と点滅パターンによって報知するための表示部を備え、呼出種別の点滅パターンの周期を同一とし、ナースコール子機からの呼出が単独呼出の場合と、重複呼出の場合で点滅の周期のタイミングをずらすためのタイミング変更制御部を有し、当該タイミング変更制御部は、重複呼出時に点灯が重複しないタイミングにずらす制御をおこなうことを特徴とする。
【０００６】
また、請求項１において、呼出種別は、予め優先度が定められており、当該呼出種別に応じて色ごとにグループ分けがなされて記憶され、同色であって点滅パターンの異なる呼出が重複した場合、優先度の最も高いパターンを表示することを特徴とする。
【０００７】
また、請求項１又は請求項２において、重複呼出時の全点灯時間の合計は、同一とした周期よりも短いことを特徴とする。
【０００８】
更に、請求項１乃至請求項３において、制御機は、複数の表示部のタイミングを同期させるための同期制御部を備えたことを特徴とする。
【発明の効果】
【０００９】
請求項１のナースコールシステムによれば、ナースコール親機や廊下灯の表示灯が複数種別の把握可能に点滅するので看護師はどのような重複呼出がなされているのかを把握でき、円滑な看護業務をおこなうことができる。
【００１０】
請求項２のナースコールシステムによれば、同色で異なる点滅パターンの場合には、優先度の高い呼出を表示させるようにするので、タイミングをずらすことによる点滅パターンの混乱を防ぐことができる。
【００１１】
請求項３のナースコールシステムによれば、重複呼出における各呼出の１周期の点灯時間を合計した合計点等時間が１周期よりも短いので色が重複して表示されることによる混乱を招かないよう表示を制御することが可能となる。
【００１２】
請求項４のナースコールシステムによれば、表示する箇所が別体であっても同じタイミングで表示されるので確認している看護師が混乱することはない。
【図面の簡単な説明】
【００１３】
【図１】図１は、本発明の実施例によるナースコールシステムのシステム構成図である。
【図２】図２は、本発明の実施例によるナースコール親機において、（ａ）は概観図、（ｂ）はブロック図である。
【図３】図３は、本発明の実施例による廊下灯において、（ａ）は概観図、（ｂ）はブロック図である。
【図４】図４は、本発明による制御機のブロック図である。
【図５】図５は、本発明の実施例によるナースコールシステムの表示部における点滅のタイミングチャートであって（ａ）は単独呼出時、（ｂ）は重複呼出時である。
【図６】図６は、本発明の実施例によるナースコールシステムの表示部における同一色の異なる点滅のタイミングチャートである。
【発明を実施するための最良の形態】
【００１４】
以下、本発明を具体化した実施の形態を、図面に基づいて説明する。
図１は、本発明に係るナースコールシステムの一例を示すシステム構成図であり、ナースステーションに設置され、患者からの呼出に応答するためのナースコール親機１（ボード型ナースコール親機１ａ、ＰＣ型ナースコール親機１ｂ）と、患者が看護師を呼び出すためのナースコール子機４、トイレ子機５及オプション子機６が接続されるプレート子機３と、病室近傍に設置され、プレート子機３、ナースコール子機４、トイレ子機５及オプション子機６からの呼出を報知するための廊下灯３と、ナースコール親機１、廊下灯２を制御するための制御機７とから構成され、各機器はＨＵＢ８を介してナースコール用ＬＡＮで接続されている。
【００１５】
図２は、本発明に係るナースコール親機１の（ａ）概観図と（ｂ）ブロック図であり、例としてボード型ナースコール親機１ａを図示する。
図２（ａ）に示すように、ボード型ナースコール親機１ａには患者数に応じた患者情報表示部を有し（図示せず）、その患者情報表示部の上部には代表表示灯１４が備えられている
また、患者情報表示部には、患者個別の表示灯として個別表示灯１５が備えられている。
【００１６】
その他の構成として図２（ｂ）に示すように、患者からの呼出状況として患者名、ベッド番号、救護区分、別途接続されるカメラで撮像した映像等を表示するためのモニタ１１、映像を処理するための映像処理部１２、各種操作をおこなうためのタッチパネル１３、代表表示灯１４、個別表示灯１５で点滅させるパターン情報や、患者の患者名、ベッド番号、救護区分等の看護情報、その他各種情報を記憶する情報記憶部１６、患者や看護師と通話するためのハンドセット１７及び音声処理部１８、ＨＵＢ８を介して各機器と通信するための通信ＩＦ１９、ボード型ナースコール親機１ａ内の各部を制御するための親機ＣＰＵ２０とから構成されている。
【００１７】
図３は、本発明に係る廊下灯２の（ａ）概観図と（ｂ）ブロック図である。
図２（ａ）に示すように、廊下灯２には代表表示灯２３が備えられており、その他の構成としては図２（ｂ）に示すように、病室に居る患者の患者情報を表示するためのモニタ２１、映像を処理するための映像処理部２２、代表表示灯２３で点滅させるパターン情報や、患者の看護情報、その他各種情報を記憶する情報記憶部２４、ＨＵＢ８を介して各機器と通信するための通信ＩＦ２５、廊下灯２の各部を制御するための廊下灯ＣＰＵ２６とから構成されている。
【００１８】
図４は、本発明に係る制御機のブロック図であり、各表示灯の点滅タイミングを変更するためのタイミング変更制御部７１、各機器での点滅タイミングの同期をとるための同期制御部７２、各表示灯で点滅させるパターン情報や、患者の看護情報、その他各種情報を記憶する情報記憶部７３、ＨＵＢ８を介して各機器と通信するための通信ＩＦ７４、制御機７内の各部を制御するための制御機ＣＰＵ７５とから構成されている。
【００１９】
なお、各機器の情報記憶部１６、２４、７３に記憶される点滅パターンは、各色ごとにグループ分けされており、例えば図６に示すようにスタッフコールとトイレコールとは同じ色の点滅なので同一グループに所属し、パターンを変更している。また、図５（ａ）に示すように呼出種別にかかわらず、点滅の周期は同一(1.5s)で構成されている。
【００２０】
このように構成されたナースコールシステムについて、以下、動作を説明する。
患者が看護師を呼び出すためにプレート子機３に接続されたナースコール子機４を操作すると呼出信号が生成され、プレート子機３、廊下灯２、ＨＵＢ８を介して制御機７に通知される。制御機７はこれを検出してナースコール親機１（本実施例ではボード型ナースコール親機１ａ）に呼出信号を送信する。
ここで、ボード型ナースコール親機１ａ及び廊下灯２では、それぞれの代表廊下灯１４及び２３と、ボード型ナースコール親機１ａでは患者ごとに備えられる個別表示灯１５を点滅させるために親機ＣＰＵ２０及び廊下灯ＣＰＵ２６の制御により情報記憶部１６、２４から点滅パターンを読み出す制御をおこなう。ここでは、図５（ａ）に示すように0.5sの点灯、1.0s消灯の1.5s周期の点滅を繰り返してパターン表示させる。なお、点滅する色はオレンジ色となっている。
【００２１】
その他の呼び出しとしてプレート子機３のスタッフコールボタン（図示せず）やオプション子機５からの呼出が行われた場合も同様に、図５（ａ）に示すように0.15s点灯、0.2s消灯、0.15s点灯、1.0s消灯の1.5s周期の点滅を繰り返してパターン表示させる。ここで、スタッフコールの点滅の色は赤色となっており、オプション呼出は緑色となっている。
上記実施例では各端末の情報記憶部１６、２４に記憶された点滅パターンを読み出しているが、制御機７の情報記憶部７３に一括で記憶させており、制御機ＣＰＵ７５の制御で各端末を点滅させるようにしてもよい。
【００２２】
また、ボード型ナースコール親機１ａ、廊下灯２の各代表廊下灯１４及び２３と、ボード型ナースコール親機１ａの個別表示灯１５の点滅は制御機７の同期制御部７２の制御により同期がとられ、点滅制御がなされる。
なお、呼出がなされると、上記各表示灯の点滅以外にはボード型ナースコール親機１ａのモニタ１１には患者名、ベッド番号、看護情報等が表示されるとともに呼出音が報音される。これを確認した看護師がハンドセット１７を操作して応答すると、患者と通話をおこなうことができる。この点については従来と同様の動作であるため説明を省略する。
【００２３】
次に呼出が重複した場合、ここでは、同じ病室に複数の患者が居る場合に異なる呼び出しをおこなった場合について説明する。
異なる患者がナースコール子機４、トイレ子機５、オプション子機６をそれぞれ操作して看護師を呼び出すと、この呼出信号が上記と同様の経路で廊下灯２、制御機７、ボード型ナースコール親機１ａに送信される。ここで、ボード型ナースコール親機１ａ、廊下灯２では上述と同様に代表廊下灯１４及び２３と、ボード型ナースコール親機１ａでは患者ごとに備えられる個別表示灯１５を点滅させるために親機ＣＰＵ２０及び廊下灯ＣＰＵ２６の制御により情報記憶部１６、２４から点滅パターンを読み出す制御をおこなって各表示灯を点滅させるが、ここで、制御機７は、タイミング変更制御部７１により、３つの呼出の点灯が重複しないようにずらして点灯させるように制御する。
【００２４】
本実施例では図５（ｂ）に示すように、スタッフコール、オプションコール、ナースコールがそれぞれ0.5sずつずらして点灯させるよう制御しており、呼出種別により点灯時に重ならない。これにより、看護師は３種類の呼び出しがあることが把握できるので円滑な看護業務をおこなうことが可能となる。
【００２５】
なお、各呼出種別は、予め優先度が定められており、当該呼出種別に応じて色ごとにグループ分けがなされて各情報記憶部１６、２４、７３に記憶されており、例えば図６に示すように同一色（同一グループ）で異なるパターンの呼出が重複した場合、本実施例ではスタッフコールとトイレコールが重複した場合、スタッフコールの優先度が高いため、赤色で0.15s点灯、0.2s消灯、0.15s点灯、1.0s消灯の1.5s周期の点滅を繰り返してパターン表示させるよう制御される。
【００２６】
なお、このような重複呼出の場合であっても上述と同様に制御機７の同期制御部７２の制御により同期がとられ、点滅制御がなされる。
これを確認した看護師は、ボード型ナースコール親機１ａで応答したり、看護師が直接かけつけることで看護業務をおこなうことができ、円滑な看護業務をおこなうことができる。
【産業上の利用可能性】
【００２７】
なお、上記実施例では、ボード型ナースコール親機１ａを用いて説明したが、ＰＣ型ナースコール親機１ｂであってもよい。この場合、表示灯としてはＬＥＤ等を用いるのではなくＰＣ上で色や点滅パターンを呼出種別に応じて表示させることでおこなわれる。さらにプレート子機３等の各機器においても表示灯を設けることで同様の動作をこおなうことができる。
また、本実施例ではナースコール、オプションコール、スタッフコール、トイレコールを用いて説明しているが、これに限らず、バスコール、点滴呼出、脱落断線呼出等の様々な呼び出しであっても同様である。
さらに色として３種類（オレンジ色、赤色、緑色）で説明しているがこれに限らず、２種類であってもいいし４種類以上あってもよい。この場合であっても、点滅の周期は同一で構成し、重複呼出時の全点灯時間の合計は、同一とした１周期よりも短くすることで本実施例と同様の効果を得ることができる。
【符号の説明】
【００２８】
１・・・ナースコール親機
（１ａ・・・ボード型ナースコール親機、１ｂ・・・ＰＣ型ナースコール親機）
１４・・・代表表示灯
１５・・・個別表示灯
１６・・・情報記憶部
２０・・・親機ＣＰＵ
２・・・廊下灯
２３・・・代表表示灯
２４・・・情報記憶部
２６・・・廊下灯ＣＰＵ
３・・・プレート子機
４・・・ナースコール子機
５・・・トイレ子機
６・・・オプション子機
７・・・制御機
７１・・・タイミング変更制御部
７２・・・同期制御部
７３・・・情報記憶部
７５・・・制御機ＣＰＵ
【図１】
2014097109.tif 000003
【図２】
2014097109.tif 000004
【図３】
2014097109.tif 000005
【図４】
2014097109.tif 000006
【図５】
2014097109.tif 000007
【図６】
2014097109.tif 000008